(57)【要約】【課題】携帯端末装置の電池が切れてしまった状態でも、ユーザにとって必要な情報を閲覧することが可能な携帯端末装置を提供する。【解決手段】この携帯端末装置は、当該装置の電池が切れることを判定した際に、給電無しで表示の維持が可能な表示デバイスへ、ユーザにとって必要な情報を表示した後に、本体の電源を落とすことにより、当該装置の電池が切れた後でも、充電することなく、ユーザにとって必要な情報を長時間に亘って閲覧することができる。【選択図】図１
2007208601.tif 000002
【特許請求の範囲】
【請求項１】
給電無しで表示の維持が可能な表示デバイスを有する表示手段と、ユーザの有用な情報を記憶する記憶手段と、電池から当該装置の各部への電源供給を制御する電源制御手段と、前記電池の残量が所定値より低くなったと判断して電池残量僅少信号を出力する電池残量判定手段と、前記記憶手段に記憶しているユーザの有用な情報を前記表示手段で表示する制御を行う表示制御手段と、を有し、前記表示制御手段が前記電池残量僅少信号を検出して、前記記憶手段に記憶しているユーザの有用な情報を前記表示手段で表示するように制御し、該ユーザの有用な情報の表示が完了したときに、前記電源制御手段が当該装置の各部への電源供給を停止することを特徴とする携帯端末装置。
【請求項２】
請求項１に記載の携帯端末装置において、前記ユーザの有用な情報は、電話帳データ、通信履歴、メモ情報、所有者情報およびメール情報のいずれか１つあるいは任意の組み合わせであることを特徴とする携帯端末装置。
【請求項３】
請求項１または２に記載の携帯端末装置において、前記ユーザの有用な情報を予め前記記憶手段へ登録する表示情報登録手段を有することを特徴とする携帯端末装置。
【請求項４】
請求項１乃至３のいずれかに記載の携帯端末装置において、前記ユーザの有用な情報を前記表示手段で表示するときのレイアウト情報を予め前記記憶手段へ登録するレイアウト情報登録手段を有することを特徴とする携帯端末装置。
【請求項５】
請求項１乃至４のいずれかに記載の携帯端末装置において、前記レイアウト情報登録手段は、前記ユーザの有用な情報を表示する領域として、予め定められた領域を選択するか、あるいは、ユーザの所望の領域を指定できることを特徴とする携帯端末装置。
【請求項６】
請求項１乃至５のいずれかに記載の携帯端末装置において、前記表示制御手段は、前記ユーザの有用な情報を前記表示手段で表示する際は、前記レイアウト情報に基づいて表示することを特徴とする携帯端末装置。
【請求項７】
請求項１乃至６のいずれかに記載の携帯端末装置において、他の通信機器と通信を行う通信手段を有し、前記通信手段により他の通信機器と通信中に、前記表示制御手段が前記電池残量僅少信号を検出すると、前記記憶手段に記憶しているユーザの有用な情報を前記表示手段で表示するように制御し、該ユーザの有用な情報の表示が完了したときに、前記通信手段の通信を断ち、前記電源制御手段が当該装置の各部への電源供給を停止することを特徴とする携帯端末装置。
【請求項８】
電源制御手段が電池から当該装置の各部への電源供給を制御する電源制御ステップと、電池残量判定手段が、前記電池の残量が所定値より低くなったと判断して電池残量僅少信号を出力する電池残量判定ステップと、表示制御手段が記憶手段に記憶しているユーザの有用な情報を、給電無しで表示の維持可能な表示デバイスで表示する制御を行う表示制御ステップと、を有し、前記表示制御ステップが前記電池残量僅少信号を検出して、前記記憶手段に記憶しているユーザの有用な情報を前記表示デバイスで表示するように制御し、該ユーザの有用な情報の表示が完了したときに、前記電源制御ステップが当該装置の各部への電源供給を停止することを特徴とする表示方法。
【発明の詳細な説明】
【技術分野】
【０００１】
本発明は、携帯端末装置および表示方法に関し、特に、携帯電話機やＰＤＡ（Personal Digital Assistant）やＰＨＳ（Personal Handyphone System）などの携帯端末装置に記憶されている内容の表示に関する。
【背景技術】
【０００２】
従来、携帯電話機を使用している場合に、電池の残量が少なくなると、例えば電池切れが近いことを示す警告音を約１分程度鳴らし、ユーザに電池切れを知らせておいてから本体の電源を落とす。その後、ユーザは、ＡＣ（Alternating Current：交流）アダプタや市販されている電池式の充電器を接続して充電するか、もしくは充電済みの電池パックと入れ替えなければ、携帯電話機に保持されたデータを見ることはできない。
【０００３】
かかる問題を解決するために、特許文献１の技術では、電池が消耗した場合に、装置の機能を制限し、消費電力の小さい小型の表示部を用いて内蔵の電話帳を閲覧するようにしている。
また、特許文献２の技術では、携帯電話機の電池残量が所定値より低いことが検出された場合に、メインの記憶手段に記憶されている情報を不揮発性の別の記憶手段に記憶させ、携帯電話機の電源が入らない状態であっても非接触通信により読み出せるようにしている。
【０００４】
さらに、特許文献３の技術では、電源が供給され続けなくても表示した情報を保持することが可能な電子ペーパーを移動体通信端末の外壁部として有し、この電子ペーパーに画像を表示することで外観デザインとして利用している。
【特許文献１】特開２００４−１２８５７４号公報
【特許文献２】特開２００５−２１７６２１号公報
【特許文献３】特開２００５−２１０３２０号公報
【発明の開示】
【発明が解決しようとする課題】
【０００５】
しかしながら、特許文献１の技術では、電池が消耗した際に、機能を限定して消費電力を抑えつつ消費電力の小さい小型の表示部を用いて、内蔵の電話帳の情報を閲覧することが想定されているが、そのためにはメモリやメモリへのアクセスを行うＣＰＵ（Central Processing Unit）など、他の様々な機能にも電力供給が必要であり、電池が消耗した場合に実現するのは非常に困難である。
また、閲覧が実現できたとしても、一時的に短時間の閲覧のみしか可能ではないという問題がある。
さらに、小さな表示部で表示するため、情報量は非常に少ない限られた情報のみであり、かつ見えにくいという問題がある。
【０００６】
また、特許文献２の技術では、ＲＦＩＤ（Radio Frequency Identification）のような非接触通信により内蔵の情報を読み出すことが想定されているが、読み出すためには外部の装置が必要であり、その装置を常にユーザが保持していなければ即座に閲覧することはできず、また、操作が煩雑になる。
【０００７】
また、特許文献３の技術では、電源が供給され続けなくても、表示した情報を保持することが可能な電子ペーパーを、移動体通信端末の外壁部として画像を表示することにより、この移動体通信端末の外観デザインとしてのみ利用するものである。
【０００８】
本発明は、上述のような実情を考慮してなされたものであって、給電無しで表示の維持が可能な表示デバイスを使用し、装置の電池残量が少なくなり電池切れとなる前に、ユーザにとって必要な情報を上記表示デバイスに表示しておくことにより、装置の電池が切れてしまった状態でも、充電する必要なく、外部の装置も必要なく、即座にユーザにとって必要な情報を長時間に渡って閲覧することができる携帯端末装置および表示方法を提供することを目的とする。
【課題を解決するための手段】
【０００９】
上記課題を解決するために、本発明は次のような構成をとる。
この携帯端末装置は、給電無しで表示の維持が可能な表示デバイスを有する表示手段と、ユーザの有用な情報を記憶する記憶手段と、電池から当該装置の各部への電源供給を制御する電源制御手段と、前記電池の残量が所定値より低くなったと判断して電池残量僅少信号を出力する電池残量判定手段と、前記記憶手段に記憶しているユーザの有用な情報を前記表示手段で表示する制御を行う表示制御手段と、を有するものであって、前記表示制御手段が前記電池残量僅少信号を検出して、前記記憶手段に記憶しているユーザの有用な情報を前記表示手段で表示するように制御し、該ユーザの有用な情報の表示が完了したときに、前記電源制御手段が当該装置の各部への電源供給を停止するようにした。
【００１０】
ここで、前記ユーザの有用な情報は、電話帳データ、通信履歴、メモ情報、所有者情報およびメール情報のいずれか１つあるいは任意の組み合わせであり、また、表示情報登録手段によって予め前記記憶手段へ登録することができる。
さらに、レイアウト情報登録手段によって、前記ユーザの有用な情報を前記表示手段で表示するときのレイアウト情報を予め前記記憶手段へ登録することができ、
前記表示制御手段が前記ユーザの有用な情報を表示する際は、前記レイアウト情報に基づいて前記表示手段に表示する。
この前記レイアウト情報登録手段では、前記ユーザの有用な情報を表示する領域として、予め定められた領域を選択するか、あるいは、ユーザの所望の領域を指定できる。
【００１１】
また、この携帯端末装置では、前記表示制御手段が前記電池残量僅少信号を検出すると、ユーザの有用な情報を前記表示手段で表示してから、前記電源制御手段が当該装置の各部への電源供給を停止するようにしているが、当該装置が他の通信機器と通信を行っている場合にも、表示を行なった後に通信機器との通信を切断して、当該装置の各部への電源供給を停止するようにした。
【００１２】
また、上述した構成の携帯端末装置の各部として、コンピュータを機能させるためのプログラムを作成しておき、または、そのプログラムをコンピュータ読み取り可能な記録媒体に記録しておき、このプログラムをコンピュータで実行することによっても上記課題を解決することができる。
【発明の効果】
【００１３】
本発明によれば、以下の効果を奏する。
（１）外出先で電池切れ状態となった場合でも、電池切れとなった携帯端末装置の大きな画面の表示部で、連絡が必要な人物への電話番号などが閲覧可能となる。したがって、ユーザが連絡先を記憶していなくとも、公衆電話など別手段による対応が可能となる。
【００１４】
（２）電話中に電池切れしてしまった場合でも、電池切れとなった携帯端末装置の表示部で通信履歴が閲覧可能となる。したがって、ユーザが連絡先を記憶していなくとも、また、初めての人や電話帳に登録していない人でも、その相手の電話番号を即座に閲覧することができ、公衆電話など別手段で容易に対応が図れる。
【００１５】
（３）海外旅行中など、携帯端末装置の電池が切れると充電が長時間不可能になってしまう状況でも、電池切れとなった携帯端末装置の表示部で緊急連絡先が閲覧可能となる。したがって、ユーザに安心感を与えることができ、急な対応が必要となった場合でも別手段で連絡をとることが可能となり、ユーザにとって非常に利便性をもたらすことができる。
【００１６】
（４）ユーザが携帯端末装置を落としてしまい、その携帯端末装置が電池切れとなった状況でも、電池切れとなった携帯端末装置の表示部で所有者情報が閲覧可能となる。したがって、拾った人に連絡先が分かるので、所有者にとって非常に有益である。
【００１７】
このため、充電するためのＡＣアダプタや充電済みの電池パックを持ち歩く必要は無く、また、市販されている電池式の充電器をわざわざ購入する必要も無くなる。
【発明を実施するための最良の形態】
【００１８】
以下、図面を参照して本発明の携帯端末装置に係る好適な実施形態について説明する。
以下、携帯端末装置の一例として、電話や電子メール等の操作ができる携帯電話を用いて説明する。なお、本発明は、実施形態に何ら限定されるものではなく、その要旨を逸脱しない範囲において、種々なる態様で実施し得る。
【００１９】
図１は、本発明の実施形態に係る携帯端末装置の構成を示すブロック構成図である。
図１において、携帯端末装置１００は、制御部１０７、記憶部１０６、操作部１０５、第１表示部１０１、第２表示部１１０、表示制御部１０８、通信部１０４、電池１０２、電源制御部１０９、電池残量判定部１０３を含み、図示しない携帯端末装置１００の本来の機能を実行するための構成とからなっている。
【００２０】
制御部１０７は、ＣＰＵ（Central Processing Unit）から構成され、記憶部１０６に記憶された制御プログラムやデータに基づいて、各種判定や演算などによって当該携帯端末装置１００の統括制御を行う。
操作部１０５は、キーやボタン、又はタッチパネルなどから構成され、ユーザが当該携帯端末装置１００に対する指示を入力する、又は文字情報や数字情報などを入力する。
【００２１】
第１表示部１０１は、例えば、ＬＣＤ（Liquid Crystal Display）や有機ＥＬ（Electro Luminescent）等から構成され、操作部１０５により入力された文字情報や数字情報や処理の中間・結果・警報等を表示する。
第２表示部１１０は、給電無しで表示の維持が可能な公知の表示デバイス（例えば、電子ペーパー）であり、通常は、ユーザが指定した画像が表示され、携帯端末装置１００の外観デザインとして利用される。しかし、外観デザインに限定されず、待受け画面やカレンダーや時計情報やその他の情報を表示するものであっても構わない。
【００２２】
表示制御部１０８は、ＤＳＰ（Digital Signal Processor）等から構成され、通常は、画像描画処理を行って第１表示部１０１へ出力する。また、制御部１０７が電池残量僅少信号を受信したときに表示制御部１０８が起動され、予め指定されていた情報を第２表示部１１０に表示するように制御する。
【００２３】
詳細は後述するが、第２表示部１１０に表示される情報は、記憶部１０６に記憶されたいずれの情報を表示させたいかを予め指定させ、ラスト表示用情報として記憶部１０６へ記憶しておく（情報登録部）。このときのラスト表示用情報の情報量は、第２表示部１１０に表示可能な最大文字数である。
【００２４】
また、ラスト表示用情報を表示する形態を予めレイアウト情報として記憶部１０６へ記憶しておく、このレイアウト情報も予め設定された領域、あるいは、ユーザが所望の領域を指定するようにしてもよい（レイアウト情報登録部）。ここで、領域とは、上記のラスト表示用情報を表示する位置と広さとで表されるものである。また、この領域内への情報の配置位置も固定されたものであっても、ユーザが選択あるいは指定するようにしたものであっても構わない。
【００２５】
通信部１０４は、他の通信機器と所定の通信方式に基づいて送受信を行う。この通信により、特定の通信機器との間で音声電話通信を行ったり、メールの送受信や情報提供サイトのコンテンツを閲覧したり、コンテンツをダウンロードする等のデータ通信が行える。
また、この通信部１０４は、Ｂｌｕｅｔｏｏｔｈ（登録商標）や赤外線（ＩｒＤＡ規格あるいはＩｒＳｉｍｐｌｅ規格等）等の近距離無線通信により、両機器間でデータの授受を行なうものでもよい。
【００２６】
電池１０２は、当該携帯端末装置１００に供給する電源である。
電源制御部１０９は、ＤＳＰ（Digital Signal Processor）等から構成され、通常は、電池１０２の電力を当該携帯端末装置１００の各部に供給する制御を行なう。電池１０２の電池残量が所定量以下になったときには、指定された情報を第２表示部１１０へ表示したことを確認して、当該携帯端末装置１００の各部への電源供給を停止させる。例え、通信部１０４が動作中であっても、電池１０２の電池残量が所定量以下になったときには、指定された情報を第２表示部１１０へ表示したことを確認し、通信を切断するとともに、当該携帯端末装置１００の各部への電源供給を停止させる。
【００２７】
電池残量判定部１０３は、まず、電池１０２の電圧値と電流値を検出し、この電圧値と電流値および電池１０２の電気特性とから残容量を計算する。次に、所定量と残容量とを比較し、残容量が所定量より少ない場合には、制御部１０７へ電池残量僅少信号を送信する。一方、残容量が所定量より大きい場合には、何の信号も出力しない。
ここで、上記の所定量とは、電池１０２の残容量が少なくなったときに表示するように指定された情報を第２表示部１１０へ表示させるのに必要な最低電力であり、予め設定して記憶部１０６に記憶しておく。
【００２８】
記憶部１０６は、ＲＡＭ（Random Access Memory）、ＲＯＭ（Read Only Memory）、フラッシュメモリ、ＨＤＤ（Hard Disk Drive）等により構成され、各種制御を行うための制御プログラムやアプリケーションプログラム、文字情報及び数字情報などのデータを記憶する。
また、記憶部１０６には、電話帳、通信履歴（発信・着信）、メモ情報、所有者情報、発信・着信したメール情報のいずれかあるいは任意の組み合わせで記憶されており、また、ラスト表示用情報、レイアウト情報も記憶される。
【００２９】
例えば、電話帳には、通信相手ごとに、宛先名、電話番号、メールアドレス等が必要に応じて記憶される。通信履歴は、発信と着信とに分類されて、通信が行なわれるたびに、通信相手の宛先名と通信媒体のアドレス（例えば、電話であれば電話番号、メールであればメールアドレス）が記録される。メモ情報は、当該携帯端末装置１００を紛失した場合等の緊急に連絡するときの連絡情報（例えば、他の通信手段の電話番号やメールアドレス等）を記憶する。所有者情報は、当該携帯端末装置１００の所有者に関する情報である、所有者名および所有者への連絡方法を記憶する。発信・着信したメール情報は、発信したあるいは作成中のメールの内容、および、着信したメールの内容を記録する。
【００３０】
ラスト表示用情報は、電池１０２の残容量が少なくなったときに第２表示部１１０に表示したい情報である。この情報は、上記に示した電話帳、通信履歴（発信・着信）、メモ情報、所有者情報、メール情報のいずれかまたは任意の組み合わせで選択される。ここで、電話帳が選択されたときには、電話帳の中の表示したい宛先名である。また、メモ情報や所有者情報の場合には、それぞれの内容を入力する。
【００３１】
レイアウト情報は、上記のラスト表示用情報を第２表示部１１０へ表示するときのレイアウトの選択情報であり、例えば、５つのレイアウト情報（全画面、２分割下のみ、２分割上のみ、３分割のうちの指定した分割位置、４分割のうちの指定した分割位置）のうちいずれを選択したかを示す情報である。
これらの選択は、ラスト表示用情報で表示される情報量によってユーザが選択するものである。この中の「全画面」以外を選択した場合には、指定した位置にラスト表示用情報が表示され、それ以外の位置にはそれまでに表示されていた外観画像がそのまま保持される。
また、上記の５つのレイアウト情報以外にも、ユーザが出力する位置と広さを指定するようにしてもよい。
【００３２】
次に、ユーザにとって必要な情報をラスト表示用情報として記憶部１０６に登録する設定処理（情報登録部）の例を説明する。図２は、第１表示部１０１を見ながら操作部１０５を操作して登録する例である。
携帯端末装置１００の操作部１０５を操作して、図２（Ａ）のような設定画面を表示する。操作部１０５のカーソル移動キーを操作して、「ラスト表示登録モード」を選択して、「決定」ボタンを押す。
【００３３】
次に、図２（Ｂ）のように、「ラスト表示登録モード」の５つの選択肢として、「電話帳データ」、「１＋通信履歴」、「２＋メモ情報」、「３＋所有者情報」、「４＋メール」が表示される。ここで、「１＋通信履歴」の「１」は、項目番号を示しており、この場合には、「電話帳データ」と「通信履歴」とがラスト表示用情報として選択されることを示している。同様に、「４＋メール」は、「電話帳データ」、「通信履歴」、「メモ情報」、「所有者情報」および「メール」の全ての情報がラスト表示用情報として選択されることを示している。
ここでは、４番目の項目を操作部１０５のカーソル移動キーによって選択し、「決定」ボタンを押したものとして説明する。即ち、「電話帳データ」、「通信履歴」、「メモ情報」および「所有者情報」を選択したことになる。
【００３４】
次に、図２（Ｃ）のように、情報量の多い「電話帳データ」について、ラスト表示用情報として表示する宛先名を選択する画面が表示される。画面には、電話帳に登録された全ての宛先名のリストが表示される。この画面で宛先名の後にはチェックボックスが表示されており、選択された宛先名に対してチェックが付けられる。
【００３５】
ここで、情報量の多い「電話帳データ」や「通信履歴」については、選択する量を規定しておく。例えば、「電話帳データ」の中から３件の電話番号とメールアドレスを登録可能とする。「通信履歴」は、新しい方から各最大２件が登録可能な件数とする。「メモ情報」と「所有者情報」については、最大１００文字までの情報を登録可能とする。
あるいは、特に数量の指定をせずに、ユーザが「電話帳データ」の電話番号のみを必要な場合は３０件登録可能とするような構成でもよい。
また、このラスト表示登録の操作以前に、「電話帳データ」を登録する際に、ラスト表示させたいか否かを問い合わせて予め登録できる構成でもよい。あるいは、ラスト表示する情報の量を個々に規定するのではなく、登録したい全ての情報量が第２表示部１１０へ表示可能な最大情報量（文字数）になるかによって規定するようにしてもよい。
【００３６】
この例では、ユーザは電話帳データの中の３件の宛先名、即ち、「Ａさん携帯」、「Ｂ社」、「Ｄさん携帯」を選択したものとし、「決定」ボタンを押す（図２（Ｄ））。
ここで、宛先名を選択することで「電話番号」と「メールアドレス」が自動的に選択されるものとするが、「電話帳データ」に登録されている情報のみが選ばれるものとする。
【００３７】
次に、図２（Ｅ）のように、「メモ情報」と「所有者情報」を入力する画面が表示される。ここでは、「メモ情報」として緊急時連絡先情報を文字列で、「所有者情報」としてユーザの名前と自宅の電話番号を入力する。
ここで、「メモ情報」や「所有者情報」が予め登録されている場合には、その情報を表示して選択したり、編集したりする構成でもよいし、「メモ情報」と「所有者情報」を別モードで登録する時に、ラスト表示させるか否かを選択するような構成でもよい。
【００３８】
次に、ラスト表示する時のレイアウトを、図２（Ｆ）のような５つの選択肢として表示する。即ち、この選択肢としては、「全画面」、「２分割下のみ」、「２分割上のみ」、「３分割」、「４分割」である。しかし、レイアウトはこの５種類のみに限定されることはなく、ユーザが領域の範囲を指定できるような構成にしてもよいし、ラスト表示用情報を選択した際に（図２（Ｂ））、自動でレイアウトが決定されるという構成でもよい。
この例では、操作部１０５のカーソル移動キーで５種類のうちから「２分割下のみ」を選択し、「決定」ボタンを押す。
以上の操作で指定した情報は、ラスト表示用情報として記憶部１０６に記憶される。
【００３９】
図３は、図２で示した例によるラスト表示用情報を第２表示部１１０へ表示した例である。図２の設定では、レイアウト情報として「２分割下のみ」を選択したために、図３の表示では、第２表示部１１０を２分割した下半分のみが、ユーザにとって必要なラスト表示用情報に書き換えられた状態となり、携帯端末装置１００の電源はＯＦＦしている。また、第２表示部１１０の上半分は外観デザインとして表示されていた画像が残される。
【００４０】
第２表示部１１０の下半分には、図２で設定された「電話帳データ」、「通信履歴」、「メモ情報」、「所有者情報」が表示される。
「電話帳データ」は、タイトル「リスト」の下の３行であり、宛先名「Ａさん携帯」は「電話番号」と「メールアドレス」の両方が登録されていたため、それらが共に表示されており、宛先名「Ｂ社」は「電話番号」のみが登録されていたため、「メールアドレス」は表示されていない。また、宛先名「Ｄさん携帯」は「メールアドレス」のみが登録されていたため、「電話番号」は表示されていない。
【００４１】
また、通信履歴は、タイトル「発信」と「着信」とで分類され、登録された新しい物順にそれぞれが番号付けられて、通信先の宛先名と通信媒体のアドレスが表示される。即ち、「履歴１」は一番新しい通信履歴である。図３の例では、着信の履歴の「履歴１」には宛先名が表示されていないが、例えば初めての人からかかってきた電話帳データに登録されていない着信を示しており、電話番号のみが表示される。この例では、通信媒体が電話だけの例であるが、最新の着信がメールの場合にはメールアドレスが表示される。
【００４２】
また、メモ情報と所有者情報とは、それぞれタイトル「メモ情報」と「所有者情報」の後に図２にて登録した文字列が表示される。「メール」がラスト表示用情報として指定されていた場合には、タイトル「メール」の後に最新のメールの内容が表示される。
以上により、ユーザは、携帯端末装置１００が電池切れとなった状態でも、即座にユーザにとって必要な情報を長時間に渡って大きな画面で閲覧することが可能となる。
【００４３】
図４は、本発明の実施形態に係る携帯端末装置における処理の流れを示すフローチャートである。
電池残量判定部１０３は、電池１０２の残容量を常時計測し、その残容量が所定値より低くなったか否かを判定する。ここで所定値は、ラスト表示用情報を第２表示部１１０へ表示させるのに必要な電力であり、予め設定して記憶部１０６に記憶しておいたものである。
この判定で残容量が所定値より小さくなった場合には、電池残量僅少信号を制御部１０７に送信する（ステップＳ１）。
【００４４】
次に、制御部１０７は上記の電池残量僅少信号を受信すると、表示制御部１０８にこの電池残量僅少信号を送信する（ステップＳ２）。
表示制御部１０８は、電池残量僅少信号に基づき、記憶部１０６に登録されているラスト表示用情報に対応する情報を記憶部１０６から取得し（ステップＳ３）、記憶部１０６に登録されているレイアウト情報に基づいて、図３のように第２表示部１１０の表示を書き換える（ステップＳ４）。
表示制御部１０８は、第２表示部１１０の書き換えが終わると、ラスト表示が完了したことを示す信号を電源制御部１０９に送信する（ステップＳ５）。
電源制御部１０９は、ラスト表示が完了したことを示す信号に基づいて携帯端末装置１００の各部への給電を停止する（電源をＯＦＦにする）（ステップＳ６）。
【００４５】
上記の実施形態では、第１表示部１０１と第２表示部１１０とは、別の表示部としているが、同じ１つの表示部であってもよい。
この場合には、第１表示部１０１は、給電無しで表示の維持が可能な表示デバイス（例えば、電子ペーパー）で構成され、操作部１０５により入力された文字情報や数字情報や処理の中間・結果・警報等を表示するだけでなく、ラスト表示用情報の表示も行なう。
【００４６】
あるいは、上記の実施形態での第１表示部１０１と第２表示部１１０とを別体として設け、ラスト表示用情報を別体に設けられた第２表示装置（第２表示部１１０）へ表示させるような構成でもよい。このときの第２表示装置は、給電無しで表示の維持が可能な表示デバイス（例えば、電子ペーパー）で構成され、携帯端末装置１００からのラスト表示用情報を受信して、上記第２表示部１１０と同様な表示を行なう。
また、このときの携帯端末装置１００と第２表示装置（第２表示部）との通信には、無線ＬＡＮ（Local Area Network）、近距離無線通信（赤外線、Ｂｌｕｅｔｏｏｔｈ（登録商標）等）あるいは有線のうちいずれを用いてもよい。
【００４７】
また、上述した実施形態を構成する携帯端末装置の各部として、コンピュータを機能させるプログラムを作成し、予め記録媒体に書き込んでおき、この記録媒体に記録されたこれらのプログラムを携帯端末装置のＣＰＵで実行することによって、本発明の目的が達成されることは言うまでもない。この場合、記録媒体から読み出されたプログラム自体が上述した実施形態の機能を実現することになり、そのプログラムおよびそのプログラムを記録した記録媒体も本発明を構成することになる。
【００４８】
なお、上述した実施形態の機能を実現するプログラムは、ディスク系（例えば、磁気ディスク、光ディスク等）、カード系（例えば、メモリカード、光カード等）、半導体メモリ系（例えば、ＲＯＭ、不揮発性メモリ等）、テープ系（例えば、磁気テープ、カセットテープ等）等のいずれの形態の記録媒体で提供されてもよい。あるいは、ネットワークを介して記憶装置に格納されたプログラムをサーバコンピュータから直接供給を受けるようにしてもよい。この場合、このサーバコンピュータの記憶装置も本発明の記録媒体に含まれる。
このように、上述した実施形態の機能をプログラム化して流通させることによって、コストの低廉化、および可搬性や汎用性を向上させることができる。
【図面の簡単な説明】
【００４９】
【図１】本発明の実施形態に係る携帯端末装置の構成を示すブロック構成図である。
【図２】ラスト表示用情報を登録するときの画面展開例である。
【図３】ラスト表示用情報をレイアウト情報によって表示した例である。
【図４】本発明の実施形態に係る携帯端末装置の処理の流れを示すフローチャートである。
【符号の説明】
【００５０】
１００…携帯端末装置、１０１…第１表示部、１０２…電池、１０３…電池残量判定部、１０４…通信部、１０５…操作部、１０６…記憶部、１０７…制御部、１０８…表示制御部、１０９…電源制御部、１１０…第２表示部。
【図１】
2007208601.tif 000003
【図２】
2007208601.tif 000004
【図３】
2007208601.tif 000005
【図４】
2007208601.tif 000006